(57)【要約】この鍵盤ハーモニカは、長手方向の一端部に空気吹き込み孔を有する楽器本体と、ホース部、該ホース部の第一端に設けられてホース部を前記空気吹き込み孔に接続するジョイント部、及び、前記ホース部の第二端に設けられる吹口を有する吹口付ホースと、前記吹口が前記楽器本体の前記一端部から突出するように、前記ホース部を着脱自在に固定するホルダと、を備え、前記ホルダが、前記ジョイント部、前記楽器本体の一端部、または、前記ホース部に設けられる。
2014013878.tif 000002
【特許請求の範囲】
【請求項１】
長手方向の一端部に空気吹き込み孔を有する楽器本体と、
ホース部、該ホース部の第一端に設けられてホース部を前記空気吹き込み孔に接続するジョイント部、及び、前記ホース部の第二端に設けられる吹口を有する吹口付ホースと、
前記吹口が前記楽器本体の前記一端部から突出するように、前記ホース部を着脱自在に固定するホルダと、を備え、
前記ホルダが、前記ジョイント部、前記楽器本体の一端部、または、前記ホース部に設けられることを特徴とする鍵盤ハーモニカ。
【請求項２】
前記楽器本体の上面に鍵盤部が設けられ、
前記ホルダが、前記空気吹き込み孔よりも前記楽器本体の下面側に配されていることを特徴とする請求項１に記載の鍵盤ハーモニカ。
【請求項３】
前記楽器本体の上面に鍵盤部が設けられ、
前記ホルダが、前記空気吹き込み孔よりも前記鍵盤部を構成する鍵の先端側に配されていることを特徴とする請求項１または請求項２に記載の鍵盤ハーモニカ。
【請求項４】
前記ホース部が、前記ジョイント部から前記楽器本体の後面側に延出した上で、前記楽器本体の下面側に回り込むように配されていることを特徴とする請求項１から請求項３のいずれか１項に記載の鍵盤ハーモニカ。
【請求項５】
前記ホルダが、前記ホース部を嵌め入れて固定する嵌合部と、前記吹口及びホース部を挿通可能な筒状のホース挿通部とを備え、
該ホース挿通部が、前記嵌合部の嵌め入れ口に連通していることを特徴とする請求項１から請求項４のいずれか１項に記載の鍵盤ハーモニカ。
【請求項６】
前記楽器本体の下面と前記楽器本体の一端部において前記下面に隣り合う側端面との角部に開口し、前記楽器本体の下面側に配された前記ホース部を収容する収容溝が形成されていることを特徴とする請求項１から請求項５のいずれか一項に記載の鍵盤ハーモニカ。
【請求項７】
前記収容溝の内面が、前記下面から前記側端面まで延びて、前記下面及び前記側端面に対して傾斜する傾斜面を有することを特徴とする請求項６に記載の鍵盤ハーモニカ。
【請求項８】
前記ホルダが、前記収容溝の内面によって構成されていることを特徴とする請求項６または請求項７に記載の鍵盤ハーモニカ。
【請求項９】
長手方向の一端部に空気吹き込み孔を有する楽器本体と、
前記楽器本体の上面に設けられる鍵盤部と、
前記楽器本体の下面と前記楽器本体の一端部において前記下面に隣り合う側端面との角部に開口する溝部と、
を備えることを特徴とする鍵盤ハーモニカ。
【請求項１０】
長手方向の一端部に空気吹き込み孔を有する楽器本体に装着可能な吹口付ホースであって、
ホース部と、該ホース部の第一端に設けられてホース部を前記空気吹き込み孔に接続するジョイント部と、前記ホース部の第二端に設けられる吹口と、前記吹口が前記楽器本体の前記一端部から突出するように、前記ホース部を着脱自在に固定するホルダと、を備え、
前記ホルダが、前記ジョイント部または前記ホース部に設けられることを特徴とする鍵盤ハーモニカ用の吹口付ホース。
【発明の詳細な説明】
【技術分野】
【０００１】
本発明は、鍵盤ハーモニカ、及び、鍵盤ハーモニカ用の吹口付ホースに関する。
【背景技術】
【０００２】
一般に、鍵盤ハーモニカは、例えば特許文献１のように、楽器本体から延びる吹口付ホース（吹奏管）を備えている。吹口付ホースは、楽器本体を机等に置いた状態で鍵盤ハーモニカを演奏（卓奏）できるように、十分な長さ及び可撓性を有している。この吹口付ホースは、楽器本体を把持した状態で鍵盤ハーモニカを演奏（立奏）する際に用いられることもある。なお、鍵盤ハーモニカを立奏する場合、一方の手で楽器本体を持ち、他方の手で楽器本体の鍵盤部を操作する必要がある。
【先行技術文献】
【特許文献】
【０００３】
【特許文献１】日本国実公平７−２７５０７号公報
【発明の概要】
【発明が解決しようとする課題】
【０００４】
しかしながら、吹口付ホースを用いた鍵盤ハーモニカの立奏時には、吹口付ホースを手で持つことができない。このため、可撓性を有する吹口付ホースの揺れ動きが吹口付ホースの吹口まで伝わる等して演奏の邪魔になる虞がある。【０００５】
本発明の一態様は、吹口付ホースを用いながらも立奏時の演奏快適性を向上できる鍵盤ハーモニカ及び鍵盤ハーモニカ用の吹口付ホースを提供することを目的とする。
【課題を解決するための手段】
【０００６】
本発明の鍵盤ハーモニカは、長手方向の一端部に空気吹き込み孔を有する楽器本体と、ホース部、該ホース部の第一端に設けられてホース部を前記空気吹き込み孔に接続するジョイント部、及び、前記ホース部の第二端に設けられる吹口を有する吹口付ホースと、前記吹口が前記楽器本体の前記一端部から突出するように、前記ホース部を着脱自在に固定するホルダと、を備え、前記ホルダが、前記ジョイント部、前記楽器本体の一端部、または、前記ホース部に設けられる。【０００７】
本発明の鍵盤ハーモニカ用の吹口付ホースは、長手方向の一端部に空気吹き込み孔を有する楽器本体に装着可能な吹口付ホースであって、ホース部と、該ホース部の第一端に設けられてホース部を前記空気吹き込み孔に接続するジョイント部と、前記ホース部の第二端に設けられる吹口と、前記吹口が前記楽器本体の前記一端部から突出するように、前記ホース部を着脱自在に固定するホルダと、を備え、前記ホルダが、前記ジョイント部または前記ホース部に設けられる。【０００８】
上記鍵盤ハーモニカや吹口付ホースでは、ホルダがジョイント部、楽器本体、ホース部のいずれに設けられても、ホルダを楽器本体の一端部あるいはその近傍に配することができる。なお、ホルダをホース部に設ける場合、ホルダはホース部のうち第一端の近傍部分に設けられればよい。
このため、ホース部の第二端の近傍部分をホルダに固定することで、吹口から楽器本体の空気吹き込み孔に至るホース部の実質的な長さを短く設定することが可能となる。したがって、吹口付ホースを用いて立奏しても、ホース部の揺れ動きが吹口に伝わり難くなり、立奏時の演奏快適性を向上できる。
また、ホルダに固定されるホース部の長手方向の位置を変更することで、楽器本体の一端部から吹口に至るホース部の延出長さを容易に調整できるため、演奏者が楽器本体の鍵盤部を見やすい位置に吹口を配置することも可能となる。【０００９】
さらに、空気吹き込み孔に取り付けられたジョイント部は空気吹き込み孔の軸線を中心に回転しようとすることがあるが、ホルダが楽器本体に設けられている場合には、ホース部をホルダに固定することでホース部が楽器本体に固定されるため、ジョイント部の回転を規制することができる。したがって、安定した状態で立奏することが可能となる。
また、ホルダが、ジョイント部、ホース部または楽器本体に一体に形成されたり着脱不能に固定されている場合には、ホルダを紛失することも防止できる。【００１０】
本発明の鍵盤ハーモニカにおいて、前記楽器本体の上面に鍵盤部が設けられ、前記ホルダが、前記空気吹き込み孔よりも前記楽器本体の下面側に配されてもよい。【００１１】
この構成では、ホース部をホルダに固定した状態において、ホース部の固定部分よりも第一端側に延びる部分が楽器本体の下面側に配されるため、ホース部が楽器本体の上面上に位置することを防止できる。したがって、鍵盤ハーモニカで立奏する際に、ホース部が鍵盤部の操作を阻害することを防止できる。
さらに、ホース部の固定部分よりも第一端側に延びる部分が楽器本体の下面側に配されれば、ホルダがジョイント部またはホース部に設けられていても、前述したジョイント部の回転を規制できるため、安定した状態で立奏することが可能となる。【００１２】
本発明の鍵盤ハーモニカにおいて、前記楽器本体の上面に鍵盤部が設けられ、前記ホルダが、前記空気吹き込み孔よりも前記鍵盤部を構成する鍵の先端側に配されてもよい。
この構成では、吹口も鍵の先端側（自由端側）に配されるため、立奏時に演奏者が吹口を口に咥えた状態では、鍵をその先端側から視認することが可能となる。この鍵盤部の見え方は、卓奏時における鍵盤部の見え方と似ているため、演奏者は鍵盤部を操作しやすくなる。【００１３】
本発明の鍵盤ハーモニカにおいて、前記ホース部が、前記ジョイント部から前記楽器本体の後面側に延出した上で、前記楽器本体の下面側に回り込むように配されてもよい。
なお、前記楽器本体の後面とは、上面に隣り合う面のうち鍵盤部を構成する鍵の基端側（揺動支点側）の面である。また、以下の説明では、楽器本体の上面に隣り合う面のうち鍵の先端側（自由端側）に位置する面のことを、楽器本体の前面と呼ぶ。【００１４】
立奏時には、鍵盤部を操作する演奏者の手が楽器本体の前面側に配されるが、上記のようにホース部が配されることで、ホース部が演奏者の手に触れる等して鍵盤ハーモニカの立奏を阻害することを防止できる。
また、ジョイント部から延びるホース部の第一端側の部分が、吹口のように楽器本体の一端部から突出するように配されないため、立奏の際に演奏者が吹口を咥えても、ホース部の第一端側の部分が演奏者の顔に触れない。したがって、立奏時の演奏快適性をさらに向上できる。【００１５】
本発明の鍵盤ハーモニカにおいて、前記ホルダが、前記ホース部を嵌め入れて固定する嵌合部と、前記吹口及びホース部を挿通可能な筒状のホース挿通部とを備え、該ホース挿通部が、前記嵌合部の嵌め入れ口に連通していてもよい。
この構成では、立奏時にホース部が不意に嵌合部の嵌め入れ口から抜け出たとしても、ホース部がホース挿通部に保持されるため、吹口やホース部の第二端側の部分が楽器本体から離れることを抑制できる。したがって、立奏時にホース部が不意に嵌合部から抜け出ても、演奏者は、鍵盤ハーモニカの操作感の大きな変化を感じることなく、立奏し続けることができる。【００１６】
本発明の鍵盤ハーモニカにおいて、前記楽器本体の下面と前記楽器本体の一端部において前記下面に隣り合う側端面との角部に開口し、前記楽器本体の下面側に配された前記ホース部を収容する収容溝が形成されてもよい。
この構成によれば、楽器本体の下面側に配されたホース部が楽器本体の側端面から突出するように配されている状態において、ホース部が収容溝に収容されることで、ホース部が楽器本体の下面と側端面との角部において急激な角度で折り曲げられることを抑制できる。したがって、ホース部の管路が上記角部において狭くなることを抑え、演奏者が空気をホース部に吹き込み難くなることを防止できる。
また、ホース部が収容溝に収容されることで、楽器本体の下面側に配されたホース部の動きを収容溝により規制できる。このため、立奏時においてホース部の揺れ動きがさらに吹口に伝わり難くなり、立奏時の演奏快適性をさらに向上できる。【００１７】
本発明の鍵盤ハーモニカにおいて、前記収容溝の内面が、前記下面から前記側端面まで延びて、前記下面及び前記側端面に対して傾斜する傾斜面を有してもよい。
この構成では、収容溝に収容されるホース部を傾斜面上に配することで、ホース部が収容溝内において屈曲することを防いで、ホース部の管路が収容溝内において狭くなることを防止できる。したがって、演奏者によるホース部への空気の吹き込み難さをさらに解消できる。【００１８】
本発明の鍵盤ハーモニカにおいて、前記ホルダが、前記収容溝の内面によって構成されていてもよい。
この構成では、ホルダを備える鍵盤ハーモニカの構成部品点数を抑えることができる。【００１９】
また、本発明の鍵盤ハーモニカは、長手方向の一端部に空気吹き込み孔を有する楽器本体と、前記楽器本体の上面に設けられる鍵盤部と、前記楽器本体の下面と前記楽器本体の一端部において前記下面に隣り合う側端面との角部に開口する溝部と、を備えることを特徴とする。
上記鍵盤ハーモニカでは、吹口付ホースの第一端（ジョイント部）を空気吹き込み孔に接続すると共に、吹口付ホースの第二端（吹口）が楽器本体の側端面から突出するように吹き口付ホースの中途部（ホース部）を楽器本体の下面側に配した際に、吹き口付ホースの中途部の一部を溝部に収容するとよい。この場合、吹き口付ホースの中途部が楽器本体の下面と側端面との角部において急激な角度で折り曲げられることを抑制できる。したがって、ホース部の管路が上記角部において狭くなることを抑え、演奏者が空気をホース部に吹き込み難くなることを防止できる。
【発明の効果】
【００２０】
本発明の一態様によれば、吹口付ホースを用いた鍵盤ハーモニカの立奏時における演奏快適性を向上できる。
【図面の簡単な説明】
【００２１】
【図１】本発明の第一実施形態に係る鍵盤ハーモニカを示す正面図である。
【図２】図１に示す鍵盤ハーモニカを楽器本体の側端面側から見た側面図である。
【図３】図１に示す鍵盤ハーモニカを楽器本体の後面側から見た背面図である。
【図４】演奏者が図１〜３に示す鍵盤ハーモニカを立奏する一例を示す図である。
【図５】図１〜３に示す鍵盤ハーモニカにおいて、ホース部を楽器本体の上面側に這わせた状態を示す上面図である。
【図６】図２，３に示すホルダの第一変形例を示す側面図である。
【図７】図２，３に示すホルダの第二変形例を示す側面図である。
【図８】本発明の第二実施形態に係る鍵盤ハーモニカを楽器本体の側端面側から見た側面図である。
【図９】図８に示す鍵盤ハーモニカを楽器本体の後面側から見た背面図である。
【図１０】図８，９に示す鍵盤ハーモニカにおいて、楽器本体に対するホルダの取付状態の一例を示す拡大断面図である。
【図１１】図８，９に示すホルダの固定位置の変形例を示す側面図である。
【図１２】図８，９に示すホルダの変形例を示す側面図である。
【図１３】本発明の第三実施形態に係る鍵盤ハーモニカを楽器本体の側端面側から見た側面図である。
【図１４】図１３に示す鍵盤ハーモニカを楽器本体の後面側から見た背面図である。
【図１５】本発明の第四実施形態に係る鍵盤ハーモニカの楽器本体を下面側から見た斜視図である。
【図１６】図１５に示す収容溝にホース部を収容した状態を示す背面図である。
【図１７】図１５に示す収容溝の第一変形例を示す斜視図である。
【図１８】図１５に示す収容溝の第二変形例を示す斜視図である。
【図１９】図１５に示す収容溝の第三変形例を示す斜視図である。
【図２０】図１５に示す収容溝の第四変形例を示す斜視図である。
【図２１】本発明の第五実施形態に係る鍵盤ハーモニカの楽器本体に形成された収容溝（ホルダ）を示す拡大断面図である。
【発明を実施するための形態】
【００２２】
〔第一実施形態〕
以下、図１〜５を参照して本発明の第一実施形態について説明する。
図１〜３に示すように、この実施形態に係る鍵盤ハーモニカ１は、楽器本体２と、吹口付ホース３と、ホルダ４とを備えている。
楽器本体２は、直方体状の外観を有し、その上面２ａに鍵盤部１０を設けて構成されている。鍵盤部１０は、複数の鍵１１（白鍵１１Ａ及び黒鍵１１Ｂ）を楽器本体２の長手方向に配列して構成されている。以下の説明では、楽器本体２の上面２ａの反対側の面を下面２ｂと呼ぶ。また、楽器本体２の上面２ａに隣り合う面のうち、鍵１１の先端側（自由端側）に位置する面を楽器本体２の前面２ｃと呼び、鍵１１の基端側（揺動支点側）に位置する面を楽器本体２の後面２ｄと呼ぶ。
楽器本体２のうち上面の長手方向の一端に隣り合う側端面２ｅ（一端部）には、空気吹き込み孔１２が開口している。この楽器本体２では、空気吹き込み孔１２から内部に空気が吹き込まれると共に、鍵１１が操作（押し下げ操作）されることで、鍵１１に対応づけて楽器本体２内部に設けられたリードが振動して音が鳴る。本実施形態では、空気吹き込み孔１２が楽器本体２の前面２ｃと後面２ｄとの中間に位置している。
【００２３】
吹口付ホース３は、空気吹き込み孔１２に着脱可能に装着されるものであり、ホース部１４と、ジョイント部１５と、吹口１６とを備えている。
ホース部１４は、ポリエチレン等の軟らかい樹脂材料からなる管状部材である。このホース部１４の両端に、それぞれ後述するジョイント部１５、吹口１６が嵌め合わせにより固定されている。また、ホース部１４の両端以外の部分は蛇腹状に形成されている。これにより、ホース部１４をフレキシブルに曲げたり、その長手方向に伸縮させたりすることが可能となっている。
【００２４】
ジョイント部１５は、ホース部１４の第一端を空気吹き込み孔１２に連結する管継手である。ジョイント部１５の一端部はホース部１４の第一端に嵌め合わされたホース側管路部１５Ａであり、他端部は空気吹き込み孔１２に差し込む本体側管路部１５Ｂである。
そして、本実施形態では、ホース側管路部１５Ａと本体側管路部１５Ｂとの間に位置するジョイント部１５の中間管路部１５Ｃが屈曲することで、ホース側管路部１５Ａ及び本体側管路部１５Ｂの軸線が互いに直交している。すなわち、本実施形態のジョイント部１５は、所謂Ｌ字形の管継手となっている。
【００２５】
吹口１６は、ホース部１４の第二端に接続される筒状部材である。吹口１６の第一開口部は、ホース部１４の第二端に嵌め合わされる部分であり、断面円筒状に形成されている。吹口１６の第二開口部は、演奏者の口で咥えて演奏者の息を吹き込む部分であり、本実施形態では断面長方形の筒状に形成されている。
【００２６】
ホルダ４は、前述したホース部１４を着脱自在に固定する嵌合部１７のみによって構成されている。本実施形態の嵌合部１７は、ベース部２１と、ベース部２１から互いに間隔をあけるように突出してホース部１４をその径方向外側から挟み込む一対の狭持突起２２，２２とを備えている。
一対の狭持突起２２，２２の間隔は、ホース部１４の外径寸法よりも小さいが、ホース部１４の管路が閉塞されないように設定されている。一対の狭持突起２２，２２の具体的な間隔は、例えば、蛇腹状に形成されたホース部１４の最大外径よりも小さく最小外径よりも大きくなるように設定されているとよい。
【００２７】
本実施形態の嵌合部１７は、互いに対向する一対の狭持突起２２，２２の対向面、及び、一対の対向面に隣り合うベース部２１の面によって円弧状の内周面２３が画成されている。この内周面２３の径寸法は、ホース部１４の外径寸法よりも小さく設定されている。
また、本実施形態の嵌合部１７では、上記内周面２３が半円よりも大きな円弧（優弧）のＣ字状に形成されている。この嵌合部１７にホース部１４を固定する場合には、ホース部１４の固定部分を変形させながら一対の狭持突起２２，２２の先端部間の開口（嵌合部１７の嵌め入れ口１７Ａ）から嵌め入れればよい。嵌合部１７にホース部１４を固定した状態では、ホース部１４及びホルダ４の内周面２３の軸線が互いに一致あるいは平行する。
【００２８】
さらに、本実施形態のホルダ４は、前述したジョイント部１５の中間管路部１５Ｃに一体成形されており、吹口付ホース３の一部として構成されている。そして、ホルダ４は、ホース側管路部１５Ａ及び本体側管路部１５Ｂの軸線を含む仮想平面からその直交方向に所定距離ずらした位置に配されている。また、ホルダ４の内周面２３の軸線が、本体側管路部１５Ｂの軸線に平行している。さらに、本実施形態のホルダ４では、嵌合部１７の嵌め入れ口１７Ａがジョイント部１５から離れる方向に向いている。
【００２９】
以上のように構成される鍵盤ハーモニカ１を立奏する場合には、例えば図１〜３に示すように、ジョイント部１５のホース側管路部１５Ａが楽器本体２の側端面２ｅに沿って楽器本体２の後面２ｄに向けて延びるように、本体側管路部１５Ｂを空気吹き込み孔１２に差し込んで吹口付ホース３を楽器本体２に装着すればよい。この装着状態においては、ホルダ４がジョイント部１５や空気吹き込み孔１２よりも楽器本体２の下面２ｂ側に配され、ホルダ４の嵌め入れ口１７Ａも楽器本体２の下面２ｂ側に向いている。
【００３０】
また、ジョイント部１５から楽器本体２の後面２ｄ側に延出したホース部１４を楽器本体２の下面２ｂに回り込ませた上で、吹口１６が楽器本体２の側端面２ｅから突出するように、ホース部１４の第二端の近傍部分をホルダ４に固定すればよい。
ここで、ホース部１４の固定部分は、楽器本体２の長手方向に延びるように配されるため、ホース部１４の固定部分よりも第二端側の部分が、側端面２ｅから突出するように楽器本体２の長手方向に延びる。また、ホース部１４の固定部分から第一端側に延びる部分が、楽器本体２の下面２ｂに接触することになる。
【００３１】
このようにホース部１４がホルダ４に固定されることで、演奏者Ｍが鍵盤ハーモニカ１を立奏する際には、例えば図４に示すように、演奏者Ｍが、一方の手Ｍ１で楽器本体２を把持した上で、自身の顔を楽器本体２の側端面２ｅに向けた状態で吹口１６を咥え、楽器本体２の側端面２ｅ側から鍵盤部１０を視認しながら、他方の手Ｍ２で鍵盤部１０を操作することができる。
【００３２】
一方、演奏者が吹口付ホース３を用いて鍵盤ハーモニカ１を卓奏する場合、演奏者は机等に置かれた楽器本体２の前面２ｃに対向するため、例えば図５に示すように、ホース部１４がジョイント部１５から楽器本体２の前面２ｃ側に延びるように本体側管路部１５Ｂを空気吹き込み孔１２に差し込めばよい。このように吹口付ホース３を楽器本体２に装着した状態では、ホルダ４がジョイント部１５よりも楽器本体２の上面２ａ側に配される。
そして、卓奏の待機時あるいは準備時には、ホース部１４の第二端の近傍部分を楽器本体２の上面２ａ側に配されたホルダ４に固定することで、吹口１６を楽器本体２の上面２ａ側に配置できるため、吹口１６が机等のどこかに触れることを防止できる。なお、図５では、楽器本体２の前面２ｃから延出したホース部１４を楽器本体２の上面２ａに回り込ませた上で、ホース部１４をホルダ４に固定しているため、吹口１６が楽器本体２の側端面２ｅから突出した位置に配されているが、これに限ることは無い。ホース部１４は、例えば吹口１６が楽器本体２の上面２ａあるいは鍵盤部１０上に配されるようにホルダ４に固定されてもよい。
【００３３】
以上説明したように、第一実施形態に係る鍵盤ハーモニカ１及び吹口付ホース３によれば、ホース部１４の第二端の近傍部分をホルダ４に固定することで、吹口１６から楽器本体２の空気吹き込み孔１２に至るホース部１４の実質的な長さを短く設定することが可能となる。したがって、吹口付ホース３を用いて立奏しても、ホース部１４の揺れ動きが吹口１６に伝わり難くなり、立奏時の演奏快適性を向上できる。
また、ホルダ４に固定されるホース部１４の長手方向の位置を変更することで、楽器本体２の側端面２ｅから吹口１６に至るホース部１４の延出長さを容易に調整できる。このため、例えば図３に示すように、側端面２ｅから延出したホース部１４を曲げる等して、演奏者が鍵盤部１０を見やすい位置に吹口１６を配置することも可能となる。
【００３４】
さらに、ホルダ４が空気吹き込み孔１２よりも楽器本体２の下面２ｂ側に配されていることで、ホルダ４に固定されたホース部１４の固定部分から第一端側に延びる部分が楽器本体２の下面２ｂに配されるため、ホース部１４が楽器本体２の上面２ａ上に位置することを防止できる。したがって、鍵盤ハーモニカ１で立奏する際に、ホース部１４が鍵盤部１０の操作を阻害することを防止できる。
また、空気吹き込み孔１２に取り付けられたジョイント部１５は空気吹き込み孔１２の軸線を中心に回転しようとすることがあるが、前述したようにホース部１４の固定部分よりも第一端側に延びる部分が楽器本体２の下面２ｂ側に配されることで、ジョイント部１５が回転しようとしても、ホース部１４の固定部分よりも第一端側に延びる部分が楽器本体２の下面２ｂに当接する。したがって、ジョイント部１５の回転を規制して、安定した状態で立奏することが可能となる。
【００３５】
さらに、立奏時には、図４に示すように、鍵盤部１０を操作する演奏者の手が楽器本体２の前面２ｃ側に配されるが、ホース部１４はジョイント部１５から楽器本体２の後面２ｄ側に延出した上で、楽器本体２の下面２ｂ側に回り込むように配されているため、ホース部１４が演奏者の手に触れる等して鍵盤ハーモニカ１の立奏を阻害することを防止できる。
また、立奏時には、ジョイント部１５から延びるホース部１４の第一端側の部分が、楽器本体２の側端面２ｅに沿って配されるため、演奏者が吹口１６を咥えてもホース部１４の第一端側の部分が演奏者の顔に触れることがない。したがって、立奏時の演奏快適性をさらに向上できる。
【００３６】
さらに、卓奏時には、例えば図５に示すように、楽器本体２に対するジョイント部１５の向きを変更しておけば、ホース部１４をホルダ４に固定するだけで吹口１６が机等のどこかに触れることも防止できるため、吹口１６を衛生的に使用できる。
また、本実施形態では、ホルダ４がジョイント部１５に一体に形成されているため、ホルダ４を紛失することも防止できる。
【００３７】
なお、第一実施形態において、ホルダ４の嵌め入れ口１７Ａは、ジョイント部１５から離れる方向に向くことに限らず、例えば図６に示すように、ホース側管路部１５Ａが中間管路部１５Ｃから延びる方向に向いていてもよいし、また、例えば図示例と逆の方向に向いていてもよい。なお、この場合には、一方の狭持突起２２がジョイント部１５の中間管路部１５Ｃに一体に形成されればよい。
【００３８】
また、上記第一実施形態において、嵌合部１７はＣ字状に形成される必要はなく、例えば図７に示すように、ホース部１４を狭持する一対の狭持突起２２，２２のみを備えていればよい。
さらに、ホルダ４は、例えば図７に示すように、嵌合部１７に加えて筒状のホース挿通部２４を備えてもよい。ホース挿通部２４は、ホース部１４及び吹口１６を挿通可能な大きさに形成されている。また、ホース挿通部２４は、嵌合部１７の嵌め入れ口１７Ａに連通している。なお、図示例のホース挿通部２４は、円筒状に形成されているが、これに限ることは無い。また、図示例では、嵌合部１７がジョイント部１５に一体に形成されているが、例えばホース挿通部２４がジョイント部１５に一体に形成されてもよい。
【００３９】
ホース挿通部２４を備えるホルダ４にホース部１４を固定する場合には、ホース部１４を吹口１６側からホース挿通部２４に挿通させた上で、ホース部１４の固定部分を変形させながら一対の狭持突起２２，２２間に嵌め入れればよい。
このようなホルダ４の場合、立奏時にホース部１４が不意に嵌合部１７から抜け出ても、ホース部１４がホース挿通部２４に保持されるため、ホース部１４の第二端側の部分や吹口１６が楽器本体２から離れることを抑制できる。したがって、立奏時にホース部１４が不意に嵌合部１７から抜け出ても、演奏者は、鍵盤ハーモニカ１の操作感の大きな変化を感じることなく、演奏し続けることができる。
【００４０】
また、第一実施形態のホルダ４は、例えば、嵌合部１７が空気吹き込み孔１２よりも楽器本体２の前面２ｃ側に位置するように、ジョイント部１５に一体成形されてもよい。この構成では、吹口１６も楽器本体２の前面２ｃ側に配されるため、立奏時に演奏者が吹口１６を口に咥えた状態では、鍵１１をその先端側（自由端側）から視認することが可能となる。この鍵盤部１０の見え方は、卓奏時における鍵盤部１０の見え方に近いため、演奏者は鍵盤部１０を操作しやすくなる。
さらに、第一実施形態のホルダ４は、ジョイント部１５に一体成形されることに限らず、例えばジョイント部１５に対して着脱自在に固定されてもよい。
【００４１】
〔第二実施形態〕
次に、図８〜１０を参照して本発明の第二実施形態について説明する。
この実施形態では、第一実施形態の鍵盤ハーモニカ１と比較して、ホルダ４の構成のみが異なっており、その他の構成については第一実施形態と同様である。本実施形態では、第一実施形態と同一の構成要素について同一符号を付す等して、その説明を省略する。
図８〜１０に示すように、この実施形態に係るホルダ４Ａは、楽器本体２の下面２ｂに対して着脱自在に設けられるものであり、ホルダ４Ａを楽器本体２に装着した状態でホース部１４を楽器本体２の下面２ｂとの間に挟み込むことで、ホース部１４を固定するように構成されている。
【００４２】
具体的に説明すれば、本実施形態のホルダ４Ａは、板材をＵ字状に湾曲した部材であり、その両端部間の開口からホース部１４の長手方向の一部を入り込ませて収容するように構成されている。また、ホルダ４Ａを楽器本体２に固定する固定手段は、ホルダ４Ａの両端部に形成された爪部３１と、楽器本体２に形成されてホルダ４Ａの爪部３１を引っ掛ける係止部３２とによって構成されている。さらに、ホルダ４Ａは、これを楽器本体２に固定した状態における楽器本体２の下面２ｂとホルダ４Ａの底部との間の寸法がホース部１４の外径寸法よりも小さくなるように形成されている。
【００４３】
そして、ホルダ４Ａは、これに収容されるホース部１４の軸線が楽器本体２の長手方向に沿うように、側端面２ｅの近傍（一端部側）に位置する楽器本体２の下面２ｂに固定される。また、本実施形態のホルダ４Ａは、楽器本体２の下面２ｂのうち、楽器本体２に装着されたジョイント部１５（空気吹き込み孔１２）に対して楽器本体２の厚さ方向（楽器本体２の上面２ａから下面２ｂに向かう方向）に重なる位置に固定される。
【００４４】
上記構成のホルダ４Ａを備える鍵盤ハーモニカを立奏する場合には、第一実施形態と同様に、ジョイント部１５のホース側管路部１５Ａが楽器本体２の側端面２ｅに沿って楽器本体２の後面２ｄに向けて延びるように、吹口付ホース３を楽器本体２に装着しておく。
その上で、楽器本体２の後面２ｄ側に延出したホース部１４を楽器本体２の下面２ｂに回り込ませ、吹口１６が楽器本体２の側端面２ｅから突出するように、ホース部１４をホルダ４Ａに収容し、さらにホルダ４Ａを楽器本体２の下面２ｂに固定すればよい。
【００４５】
このようにホルダ４Ａを固定した状態では、ホルダ４Ａに収容されたホース部１４が楽器本体２の下面２ｂとホルダ４Ａとによって挟み込まれ、ホース部１４がホルダ４Ａに固定されることになる。また、ホース部１４の固定部分から第一端側に延びる部分が、楽器本体２の下面２ｂに接触することになる。
以上のようにホース部１４がホルダ４Ａに固定されることで、演奏者は、第一実施形態の場合と同様に鍵盤ハーモニカを立奏することができる（図４参照）。
【００４６】
以上説明したように、第二実施形態に係る鍵盤ハーモニカによれば、第一実施形態と同様の効果を奏する。
さらに、本実施形態では、ホース部１４をホルダ４Ａに固定することでホース部１４が楽器本体２に固定されるため、空気吹き込み孔１２に取り付けられたジョイント部１５が楽器本体２に対して回転しようとしても、この回転を規制することができる。したがって、安定した状態で立奏することが可能となる。
また、ホルダ４Ａは楽器本体２の下面２ｂから取り外せるため、楽器本体２を机等に安定した状態で置くことも可能である。
【００４７】
なお、図８〜１０に示す構成は、上記第一実施形態のようにジョイント部１５に設けられるホルダ４にも適用可能である。すなわち、第一実施形態の構成においても、例えばホルダ４をジョイント部１５に装着した状態でホース部１４をジョイント部１５との間に挟み込むことで、ホース部１４を固定してもよい。
【００４８】
そして、上記第二実施形態のホルダ４Ａは、楽器本体２の下面２ｂのうち空気吹き込み孔１２と楽器本体２の厚さ方向に重なる位置に固定されることに限らず、例えば、空気吹き込み孔１２よりも楽器本体２の前面２ｃ側の位置に固定されてもよい。また、第二実施形態のホルダ４Ａは、楽器本体２の下面２ｂに固定されることに限らず、例えば図１１に示すように、楽器本体２の前面２ｃに固定されてもよい。
これら構成では、吹口１６も楽器本体２の前面２ｃ側に配されるため、立奏時に演奏者が吹口１６を口に咥えた状態では、鍵１１をその先端側（自由端側）から視認することが可能となる。この鍵盤部１０の見え方は、卓奏時における鍵盤部１０の見え方に近いため、演奏者は鍵盤部１０を操作しやすくなる。
【００４９】
また、第二実施形態のホルダ４Ａは、楽器本体２との間にホース部１４を固定するように構成されているが、これに限ることは無く、例えば第一実施形態と同様の嵌合部１７を備えて構成されてもよい。この場合、ホルダ４Ａは、例えば図１２に示すように、第一実施形態と同様の嵌合部１７及びホース挿通部２４を備えていてもよい。なお、図示例では、ホース挿通部２４が楽器本体２の下面２ｂに固定されているが、例えば嵌合部１７が楽器本体２の下面２ｂに固定されてもよい。また、嵌合部１７及びホース挿通部２４は下面２ｂに沿うように配列されてもよい。
また、ホルダ４Ａが嵌合部１７を備える場合、ホルダ４Ａは楽器本体２に対して着脱可能であることに限らず、例えば着脱不能であってもよい。
【００５０】
〔第三実施形態〕
次に、図１３，１４を参照して本発明の第三実施形態について説明する。
この実施形態では、第一、第二実施形態の鍵盤ハーモニカと比較して、ホルダ４，４Ａの一部構成のみが異なっており、その他の構成については第一実施形態と同様である。本実施形態では、第一実施形態と同一の構成要素について同一符号を付す等して、その説明を省略する。
図１３，１４に示すように、この実施形態に係るホルダ４Ｂは、ホース部１４に設けられ、第一実施形態（図２，３参照）と同様の嵌合部１７と、嵌合部１７をホース部１４に保持する保持部１８を備えている。
保持部１８は、ホース部１４を挿通させる円筒状に形成されている。保持部１８の大きさは、ホース部１４の長手方向に摺動自在となるように、また、吹口１６やジョイント部１５を挿入できないように設定されている。これにより、ホルダ４Ｂが吹口付ホース３から抜け落ちることは無い。この保持部１８の軸線は、嵌合部１７に固定されたホース部１４の固定部分の軸線に直交するように設定されている。
【００５１】
上記構成のホルダ４Ｂを備える鍵盤ハーモニカを立奏する場合には、第一実施形態と同様に、ジョイント部１５のホース側管路部１５Ａが楽器本体２の側端面２ｅに沿って楽器本体２の後面２ｄに延びるように、吹口付ホース３を楽器本体２に装着しておく。また、保持部１８がホース部１４の第一端側の近傍部分に位置するように、かつ、嵌合部１７が保持部１８よりも楽器本体２の下面２ｂ側に位置するように、ホルダ４Ｂをホース部１４及び楽器本体２に対して配置しておく。この状態では、嵌合部１７が空気吹き込み孔１２よりも楽器本体２の後面２ｄ側に位置している。
【００５２】
その上で、楽器本体２の後面２ｄ側に延出したホース部１４を楽器本体２の下面２ｂに回り込ませ、吹口１６が楽器本体２の側端面２ｅから突出するように、ホース部１４をホルダ４Ｂに固定すればよい。この固定状態では、ホース部１４の固定部分が楽器本体２の長手方向に延びるように配されるため、ホース部１４の固定部分から第一端側に延びる部分が、楽器本体２の下面２ｂに接触することになる。
以上のようにホース部１４がホルダ４Ｂに固定されることで、演奏者は、第一実施形態の場合と同様に鍵盤ハーモニカを立奏することができる（図４参照）。
【００５３】
以上説明したように、第三実施形態に係る鍵盤ハーモニカ及び吹口付ホース３によれば、第一実施形態と同様の効果を奏する。
例えば、嵌合部１７が空気吹き込み孔１２よりも楽器本体２の下面２ｂ側に配されることで、ホルダ４Ｂに固定されたホース部１４の固定部分から第一端側に延びる部分が楽器本体２の下面２ｂに配されるため、ホース部１４が楽器本体２の上面２ａ上に位置することを防止できる。
また、ホース部１４の固定部分よりも第一端側に延びる部分が楽器本体２の下面２ｂ側に配されることで、ジョイント部１５が回転しようとしても、ホース部１４の固定部分よりも第一端側に延びる部分が楽器本体２の下面２ｂに当接する。このため、ジョイント部１５の回転を規制して、安定した状態で立奏することが可能となる。
【００５４】
また、第三実施形態のホルダ４Ｂを備える鍵盤ハーモニカでは、第一実施形態の場合と同様に、卓奏の待機時あるいは準備時に、ホース部１４を嵌合部１７に固定することで、吹口１６が机等のどこかに触れることも防止して、吹口１６を衛生的に使用することが可能である（図５参照）。具体的に説明すれば、保持部１８がホース部１４の第一端側の近傍部分に位置するように、かつ、嵌合部１７が保持部１８よりも楽器本体２の上面２ａ側に位置するように、ホルダ４Ｂをホース部１４及び楽器本体２に対して配置しておけばよい。この配置状態では、ホース部１４の第二端側の近傍部分を楽器本体２の上面２ａ側に配された嵌合部１７に固定することで、吹口１６を楽器本体２の上面２ａ側に配置できるため、吹口１６が机等のどこかに触れることを防止できる。
さらに、本実施形態では、ホルダ４Ｂは保持部１８によってホース部１４から抜け落ちることが無いため、ホルダ４Ｂを紛失することも防止できる。
【００５５】
なお、第三実施形態のホルダ４Ｂは、嵌合部１７及び保持部１８のみ備えることに限らず、例えば図７，１２に示す構成のように、ホース挿通部２４も備えていてよい。
また、第三実施形態では、ホルダ４Ｂが空気吹き込み孔１２よりも楽器本体２の後面２ｄ側に位置しているが、例えばホース側管路部１５Ａが楽器本体２の側端面２ｅに沿って楽器本体２の前面２ｃに延びるように、ジョイント部１５を楽器本体２に装着すれば、例えば空気吹き込み孔１２よりも楽器本体２の前面２ｃ側に配することも可能である。
【００５６】
〔第四実施形態〕
次に、図１５，１６を参照して本発明の第四実施形態について説明する。
この実施形態では、第一実施形態の鍵盤ハーモニカ１と比較して、楽器本体２の構成のみが異なっており、その他の構成については第一実施形態と同様である。本実施形態では、第一実施形態と同一の構成要素について同一符号を付す等して、その説明を省略する。
【００５７】
図１５，１６に示すように、この実施形態に係る楽器本体２には、その下面２ｂ側に配されたホース部１４の一部を収容する収容溝（溝部）４０が形成されている。収容溝４０は、楽器本体２の下面２ｂと側端面２ｅとの角部に開口している。収容溝４０の内面は、楽器本体２の下面２ｂから側端面２ｅまで延びて、下面２ｂ及び側端面２ｅに対して傾斜する傾斜面４１を有している。
本実施形態では、収容溝４０の長手方向が下面２ｂ及び側端面２ｅに対して傾斜している。また、収容溝４０の内面は、収容溝４０の長手方向に直交する断面で円弧状（例えば半円弧状）となるように形成されている。収容溝４０の径寸法（幅寸法）は、ホース部１４の外形寸法よりも大きく設定されている。
楽器本体２の側端面２ｅにおける収容溝４０の開口は、空気吹込み孔１２に対して楽器本体２の下面２ｂ側に隣り合せて位置している。
【００５８】
上記構成の楽器本体２を備える鍵盤ハーモニカを立奏する場合には、第一実施形態と同様に、ジョイント部１５のホース側管路部１５Ａが楽器本体２の側端面２ｅに沿って楽器本体２の後面２ｄに向けて延びるように、吹口付ホース３を楽器本体２に装着しておく（図１，２参照）。また、この装着の際には、図１６に示すように、ホルダ４を収容溝４０のうち側端面２ｅの開口に隣り合わせて配置する。
その上で、楽器本体２の後面２ｄ側に延出したホース部１４を楽器本体２の下面２ｂに回り込ませ、吹口１６が楽器本体２の側端面２ｅから突出するように、ホース部１４をホルダ４に固定すればよい（図１，２参照）。これにより、ホルダ４よりも第一端側に延びるホース部１４の部分が、図１６に示すように、収容溝４０に収容される。また、収容溝４０に収容されたホース部１４は、収容溝４０の傾斜面４１上に配される。
以上のようにホース部１４がホルダ４に固定されることで、演奏者は、第一実施形態の場合と同様に鍵盤ハーモニカを立奏することができる（図４参照）。
【００５９】
以上説明したように、第四実施形態に係る鍵盤ハーモニカによれば、第一実施形態と同様の効果を奏する。
また、本実施形態の鍵盤ハーモニカでは、ホース部１４が収容溝４０に収容されることで、ホース部１４が楽器本体２の下面２ｂと側端面２ｅとの角部において急激な角度で折り曲げられることを抑制できる。したがって、ホース部１４の管路が上記角部において狭くなることを抑え、演奏者が空気をホース部１４に吹き込み難くなることを防止できる。
さらに、収容溝４０に収容されたホース部１４が収容溝４０の傾斜面４１上に配されることで、ホース部１４が収容溝４０内において屈曲することを防ぎ、ホース部１４の管路が収容溝４０内において狭くなることも防止できる。したがって、演奏者によるホース部１４への空気の吹き込み難さをさらに解消できる。
【００６０】
さらに、ホース部１４が収容溝４０に収容されることで、楽器本体２の下面２ｂ側に配されたホース部１４の揺れ動きを収容溝４０により規制できる。このため、立奏時においてホース部１４の揺れ動きがさらに吹口１６に伝わり難くなり、立奏時の演奏快適性をさらに向上できる。また、ホース部１４の揺れ動きが収容溝４０により規制されることで、楽器本体２に取り付けられたジョイント部１５が、楽器本体２に対して本体側管路部１５Ｂの軸線を中心に回転することも抑制できる。
【００６１】
さらに、収容溝４０が形成されることで、ホルダ４を側端面２ｅにおける収容溝４０の開口に隣り合せて配することが可能となり、ホルダ４が楽器本体２の下面２ｂから突出することを防止できる。したがって、ホルダ４の保護を図ることができる。
また、収容溝４０によって楽器本体２の下面２ｂと側端面２ｅとの角部におけるホース部１４の折り曲げ角度が小さくなるため、ホルダ４が側端面２ｅにおける収容溝４０の開口に隣り合せて配されていても、上記角部におけるホース部１４の折り曲げに基づく応力によって、ホース部１４が不意にホルダ４から外れることを防止できる。
【００６２】
なお、第四実施形態において、楽器本体２の収容溝は、図１５，１６に示す形状に限らず、少なくとも楽器本体２の下面２ｂと側端面２ｅとの角部に開口していればよく、例えば図１７〜２０に示す形状であってもよい。
図１７に示す収容溝４０Ａの内面は、図１５に示す収容溝４０と同様の傾斜面４１Ａを有している。また、収容溝４０Ａの長手方向は、図１５に示す収容溝４０と同様に、下面２ｂ及び側端面２ｅに対して傾斜している。ただし、収容溝４０Ａの内面は、収容溝４０Ａの長手方向からみて矩形状あるいはこれに近似する形状（例えば台形状）に形成されている。すなわち、収容溝４０Ａの内面を構成する傾斜面４１Ａ、及び、収容溝４０の幅方向（楽器本体２の前面２ｃから後面２ｄに向かう方向）に対向する一対の内側面４２Ａ，４２Ａは、それぞれ平坦面となっている。なお、図示例では、一対の内側面４２Ａ，４２Ａ同士の間隔が、傾斜面４１Ａから楽器本体２の下面２ｂと側端面２ｅとの角部に向かうにしたがって広がるように、一対の内側面４２Ａ，４２Ａが互いに傾斜しているが、例えば互いに平行していてもよい。
【００６３】
図１８〜２０に示す収容溝４０Ｂ〜４０Ｄは、いずれも図１５，１７に示す収容溝４０，４０Ａのように傾斜していない。これら収容溝４０Ｂ〜４０Ｄの内面は、楽器本体２の下面２ｂに対して楽器本体２の内側（楽器本体２の厚さ方向）に一段低く位置する第一段差内面４３Ｂ〜４３Ｄと、楽器本体２の側端面２ｅに対して楽器本体２の内側（楽器本体２の長手方向）に一段低く位置する第二段差内面４４Ｂ〜４４Ｄとを有している。
図１８〜２０に示す収容溝４０Ｂ〜４０Ｄの第二段差内面４４Ｂ〜４４Ｄは、いずれも楽器本体２の長手方向に直交する平坦面となっている。図１８に示す収容溝４０Ｂの第一段差内面４３Ｂは、楽器本体２の長手方向に直交する平坦面となっている。一方、図１９，２０に示す収容溝４０Ｃ，４０Ｄの第一段差内面４３Ｃ，４３Ｄは、楽器本体２の厚さ方向に凹むように湾曲し、楽器本体２の長手方向に直交する断面で円弧状となるように形成されている。また、図１８（図１９）に示す収容溝４０Ｂ（４０Ｃ）の内面は、楽器本体２の幅方向に対向する一対の内側面４２Ｂ，４２Ｂ（４２Ｃ，４２Ｃ）も有している。これに対し、図２０に示す収容溝４０Ｄの内面は、第一、第二段差内面４３Ｄ，４４Ｄのみを有している。
図１７〜２０に示す収容溝４０Ａ〜４０Ｄであっても、図１５に示す収容溝４０と同様の効果を奏する。
【００６４】
上記のように収容溝が形成された楽器本体２は、第二、第三実施形態のホルダ４Ａ，４Ｂを備える鍵盤ハーモニカにも適用可能である。
収容溝が形成された楽器本体２を第二実施形態に適用する場合、楽器本体２に固定されるホルダ４Ａは、例えば楽器本体２の下面２ｂにおいて収容溝に隣り合う位置に配されてよい。また、楽器本体２に固定されるホルダ４Ａは、例えばホース部１４のうち収容溝に収容された部分を固定するように配されてもよい。この場合には、ホース部１４を収容溝の内面とホルダ４Ａとによって挟み込むことで、ホース部１４をホルダ４Ａに固定することができる。
一方、収容溝が形成された楽器本体２を第三実施形態に適用する場合、楽器本体２の収容溝は、ホース部１４に設けられたホルダ４Ｂの配置に対応するように、空気吹込み孔１２よりも楽器本体２の前面２ｃ側や後面２ｄ側に形成されればよい。
【００６５】
〔第五実施形態〕
次に、図２１を参照して本発明の第五実施形態について説明する。
この実施形態では、第一〜第四実施形態の鍵盤ハーモニカと比較して、ホルダ及び収容溝の構成のみが異なっており、その他の構成については第一〜第四実施形態と同様である。本実施形態では、第一〜第四実施形態と同一の構成要素について同一符号を付す等して、その説明を省略する。
【００６６】
図２１に示すように、本実施形態の楽器本体２には、第四実施形態と同様に、楽器本体２の下面２ｂ側に配されたホース部１４の一部を収容する収容溝４０Ｅが形成されている。収容溝４０Ｅは、第四実施形態と同様に、楽器本体２の下面２ｂと側端面２ｅとの角部に開口している（図１５〜２０参照）。なお、収容溝４０Ｅは、図１５，１６の収容溝４０と同様に、下面２ｂ及び側端面２ｅに対して傾斜する傾斜面を有していてもよいし、有さなくてもよい。また、収容溝４０Ｅの長手方向は、下面２ｂ及び側端面２ｅに対して傾斜していてもよいし、傾斜しなくてもよい。
本実施形態では、ホース部１４を着脱自在に固定するホルダ４Ｅが収容溝４０Ｅの内面２３Ｅによって構成されている。図２１に示すように、収容溝４０Ｅの内面２３Ｅは、楽器本体２の長手方向に直交する断面で円弧状に形成されている。この内面２３Ｅの径寸法は、ホース部１４の外形寸法よりも小さく設定されている。そして、収容溝４０Ｅの内面２３Ｅは、半円よりも大きな円弧（優弧）のＣ字状に形成されている。すなわち、本実施形態の収容溝４０Ｅの内面２３Ｅは、第一実施形態におけるホルダ４の内周面２３（図２参照）と同様に形成されている。
【００６７】
この収容溝４０Ｅにホース部１４を収容する場合には、ホース部１４の固定部分を変形させながら収容溝４０Ｅの開口から嵌め入れればよい。これにより、ホース部１４を収容溝４０Ｅ（ホルダ４Ｅ）に固定することができる。
第五実施形態に係る鍵盤ハーモニカによれば、第四実施形態と同様の効果を奏する。さらに、本実施形態の鍵盤ハーモニカでは、ホルダ４Ｅが収容溝４０Ｅの内面２３Ｅによって構成されているため、ホルダ４Ｅを備える鍵盤ハーモニカの構成部品点数を抑えることが可能となる。
【００６８】
以上、五つの実施形態により本発明について詳細に説明したが、本発明はこれら実施形態に限定されるものではなく、本発明の趣旨を逸脱しない範囲において種々の変更を加えることが可能である。
例えば、ジョイント部１５は、Ｌ字形の管継手に限らず、ホース側管路部１５Ａ及び本体側管路部１５Ｂの軸線が一致あるいは平行する直線形の管継手であってもよい。この場合、ジョイント部１５に設けられる第一実施形態のホルダ４は、これに固定されるホース部１４の軸線が本体側管路部１５Ｂの軸線に平行するように形成されていればよい。また、ホース部１４に設けられる第三実施形態のホルダ４Ｂは、その嵌合部１７に固定されるホース部１４の軸線が保持部１８の軸線に平行するように構成されればよい。
【００６９】
また、ホルダ４，４Ａ，４Ｂ，４Ｅは、これに固定されたホース部１４が側端面２ｅから楽器本体２の長手方向に突出するように構成されることに限らず、例えば長手方向に対して傾斜する方向に突出するように構成されてもよい。なお、ホルダ４，４Ａ，４Ｂ，４Ｅに固定されたホース部１４が、側端面２ｅから楽器本体２の前面２ｃ側に傾斜した方向に突出していれば、演奏者が鍵盤部１０を見やすくなるため、好ましい。
【符号の説明】
【００７０】
１…鍵盤ハーモニカ、２…楽器本体、２ａ…上面、２ｂ…下面、２ｃ…前面、２ｄ…後面、２ｅ…側端面（一端部）、３…吹口付ホース、４…ホルダ、１０…鍵盤部、１１…鍵、１２…空気吹き込み孔、１４…ホース部、１５…ジョイント部、１６…吹口、１７…嵌合部、１７Ａ…嵌め入れ口、１８…保持部、２４…ホース挿通部、４０…収容溝（溝部）、４１…傾斜面
【図１】
2014013878.tif 000003
【図２】
2014013878.tif 000004
【図３】
2014013878.tif 000005
【図４】
2014013878.tif 000006
【図５】
2014013878.tif 000007
【図６】
2014013878.tif 000008
【図７】
2014013878.tif 000009
【図８】
2014013878.tif 000010
【図９】
2014013878.tif 000011
【図１０】
2014013878.tif 000012
【図１１】
2014013878.tif 000013
【図１２】
2014013878.tif 000014
【図１３】
2014013878.tif 000015
【図１４】
2014013878.tif 000016
【図１５】
2014013878.tif 000017
【図１６】
2014013878.tif 000018
【図１７】
2014013878.tif 000019
【図１８】
2014013878.tif 000020
【図１９】
2014013878.tif 000021
【図２０】
2014013878.tif 000022
【図２１】
2014013878.tif 000023
【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
長手方向の一端部に空気吹き込み孔を有する楽器本体と、
ホース部、該ホース部の第一端に設けられてホース部を前記空気吹き込み孔に接続するジョイント部、及び、前記ホース部の第二端に設けられる吹口を有する吹口付ホースと、
前記吹口が前記楽器本体の前記一端部から突出するように、前記ホース部を着脱自在に固定するホルダと、を備え、
前記ホルダが、前記ジョイント部、または、前記ホース部に設けられることを特徴とする鍵盤ハーモニカ。
【請求項２】
前記楽器本体の上面に鍵盤部が設けられ、
前記ホルダが、前記空気吹き込み孔よりも前記楽器本体の下面側に配されていることを特徴とする請求項１に記載の鍵盤ハーモニカ。
【請求項３】
前記楽器本体の上面に鍵盤部が設けられ、
前記ホルダが、前記空気吹き込み孔よりも前記鍵盤部を構成する鍵の先端側に配されていることを特徴とする請求項１または請求項２に記載の鍵盤ハーモニカ。
【請求項４】
前記ホルダが、前記ホース部を嵌め入れて固定する嵌合部と、前記吹口及びホース部を挿通可能な筒状のホース挿通部とを備え、
該ホース挿通部が、前記嵌合部の嵌め入れ口に連通していることを特徴とする請求項１から請求項３のいずれか１項に記載の鍵盤ハーモニカ。
【請求項５】
前記ホース部が、前記ジョイント部から前記楽器本体の後面側に延出した上で、前記楽器本体の下面側に回り込むように配されていることを特徴とする請求項１から請求項４のいずれか１項に記載の鍵盤ハーモニカ。
【請求項６】
長手方向の一端部に空気吹き込み孔を有する楽器本体と、
ホース部、該ホース部の第一端に設けられてホース部を前記空気吹き込み孔に接続するジョイント部、及び、前記ホース部の第二端に設けられる吹口を有する吹口付ホースと、を備え、
前記吹口が前記楽器本体の前記一端部から突出するように、前記ホース部が、前記ジョイント部から前記楽器本体の後面側に延出した上で、前記楽器本体の下面側に回り込むように配されていることを特徴とする鍵盤ハーモニカ。
【請求項７】
前記楽器本体の下面と前記楽器本体の一端部において前記下面に隣り合う側端面との角部に開口し、前記楽器本体の下面側に配された前記ホース部を収容する収容溝が形成されていることを特徴とする請求項１から請求項６のいずれか一項に記載の鍵盤ハーモニカ。
【請求項８】
長手方向の一端部に空気吹き込み孔を有する楽器本体と、
ホース部、該ホース部の第一端に設けられてホース部を前記空気吹き込み孔に接続するジョイント部、及び、前記ホース部の第二端に設けられる吹口を有する吹口付ホースと、を備え、
前記楽器本体の下面と前記楽器本体の一端部において前記下面に隣り合う側端面との角部に開口し、前記楽器本体の下面側に配された前記ホース部を収容する収容溝が形成されていることを特徴とする鍵盤ハーモニカ。
【請求項９】
前記収容溝の内面は、前記ホース部を着脱自在に固定するホルダを構成することを特徴とする請求項８に記載の鍵盤ハーモニカ。
【請求項１０】
前記収容溝の内面が、前記下面から前記側端面まで延びて、前記下面及び前記側端面に対して傾斜する傾斜面を有することを特徴とする請求項７から請求項９のいずれか一項に記載の鍵盤ハーモニカ。
【請求項１１】
長手方向の一端部に空気吹き込み孔を有する楽器本体と、
前記楽器本体の上面に設けられる鍵盤部と、
前記楽器本体の下面と前記楽器本体の一端部において前記下面に隣り合う側端面との角部に開口する溝部と、
を備えることを特徴とする鍵盤ハーモニカ。
【請求項１２】
長手方向の一端部に空気吹き込み孔を有する楽器本体に装着可能な吹口付ホースであって、
ホース部と、該ホース部の第一端に設けられてホース部を前記空気吹き込み孔に接続するジョイント部と、前記ホース部の第二端に設けられる吹口と、前記吹口が前記楽器本体の前記一端部から突出するように、前記ホース部を着脱自在に固定するホルダと、を備え、
前記ホルダが、前記ジョイント部または前記ホース部に設けられることを特徴とする鍵盤ハーモニカ用の吹口付ホース。
【手続補正２】
【補正対象書類名】明細書
【補正対象項目名】０００６
【補正方法】変更
【補正の内容】
【０００６】
本発明の鍵盤ハーモニカは、長手方向の一端部に空気吹き込み孔を有する楽器本体と、ホース部、該ホース部の第一端に設けられてホース部を前記空気吹き込み孔に接続するジョイント部、及び、前記ホース部の第二端に設けられる吹口を有する吹口付ホースと、前記吹口が前記楽器本体の前記一端部から突出するように、前記ホース部を着脱自在に固定するホルダと、を備え、前記ホルダが、前記ジョイント部、または、前記ホース部に設けられる。
【手続補正３】
【補正対象書類名】明細書
【補正対象項目名】００１３
【補正方法】変更
【補正の内容】
【００１３】
本発明の鍵盤ハーモニカにおいて、前記ホース部が、前記ジョイント部から前記楽器本体の後面側に延出した上で、前記楽器本体の下面側に回り込むように配されてもよい。
また、本発明の鍵盤ハーモニカは、長手方向の一端部に空気吹き込み孔を有する楽器本体と、ホース部、該ホース部の第一端に設けられてホース部を前記空気吹き込み孔に接続するジョイント部、及び、前記ホース部の第二端に設けられる吹口を有する吹口付ホースと、を備え、前記吹口が前記楽器本体の前記一端部から突出するように、前記ホース部が、前記ジョイント部から前記楽器本体の後面側に延出した上で、前記楽器本体の下面側に回り込むように配されている。
なお、前記楽器本体の後面とは、上面に隣り合う面のうち鍵盤部を構成する鍵の基端側（揺動支点側）の面である。また、以下の説明では、楽器本体の上面に隣り合う面のうち鍵の先端側（自由端側）に位置する面のことを、楽器本体の前面と呼ぶ。
【手続補正４】
【補正対象書類名】明細書
【補正対象項目名】００１６
【補正方法】変更
【補正の内容】
【００１６】
本発明の鍵盤ハーモニカにおいて、前記楽器本体の下面と前記楽器本体の一端部において前記下面に隣り合う側端面との角部に開口し、前記楽器本体の下面側に配された前記ホース部を収容する収容溝が形成されてもよい。
また、本発明の鍵盤ハーモニカは、長手方向の一端部に空気吹き込み孔を有する楽器本体と、ホース部、該ホース部の第一端に設けられてホース部を前記空気吹き込み孔に接続するジョイント部、及び、前記ホース部の第二端に設けられる吹口を有する吹口付ホースと、を備え、前記楽器本体の下面と前記楽器本体の一端部において前記下面に隣り合う側端面との角部に開口し、前記楽器本体の下面側に配された前記ホース部を収容する収容溝が形成されている。
この構成によれば、楽器本体の下面側に配されたホース部が楽器本体の側端面から突出するように配されている状態において、ホース部が収容溝に収容されることで、ホース部が楽器本体の下面と側端面との角部において急激な角度で折り曲げられることを抑制できる。したがって、ホース部の管路が上記角部において狭くなることを抑え、演奏者が空気をホース部に吹き込み難くなることを防止できる。
また、ホース部が収容溝に収容されることで、楽器本体の下面側に配されたホース部の動きを収容溝により規制できる。このため、立奏時においてホース部の揺れ動きがさらに吹口に伝わり難くなり、立奏時の演奏快適性をさらに向上できる。
【手続補正５】
【補正対象書類名】明細書
【補正対象項目名】００１７
【補正方法】変更
【補正の内容】
【００１７】
本発明の鍵盤ハーモニカにおいて、前記収容溝の内面は、前記ホース部を着脱自在に固定するホルダを構成してもよい。
この構成では、ホルダを備える鍵盤ハーモニカの構成部品点数を抑えることができる。
【手続補正６】
【補正対象書類名】明細書
【補正対象項目名】００１８
【補正方法】変更
【補正の内容】
【００１８】
本発明の鍵盤ハーモニカにおいて、前記収容溝の内面が、前記下面から前記側端面まで延びて、前記下面及び前記側端面に対して傾斜する傾斜面を有してもよい。
この構成では、収容溝に収容されるホース部を傾斜面上に配することで、ホース部が収容溝内において屈曲することを防いで、ホース部の管路が収容溝内において狭くなることを防止できる。したがって、演奏者によるホース部への空気の吹き込み難さをさらに解消できる。
【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
長手方向の一端部に空気吹き込み孔を有する楽器本体と、
ホース部、該ホース部の第一端に設けられてホース部を前記空気吹き込み孔に接続するジョイント部、及び、前記ホース部の第二端に設けられる吹口を有する吹口付ホースと、
前記吹口が前記楽器本体の前記一端部から突出するように、前記ホース部を着脱自在に固定するホルダと、を備え、
前記ホルダが、前記ジョイント部、または、前記ホース部に設けられることを特徴とする鍵盤ハーモニカ。
【請求項２】
前記楽器本体の上面に鍵盤部が設けられ、
前記ホルダが、前記空気吹き込み孔よりも前記楽器本体の下面側に配されていることを特徴とする請求項１に記載の鍵盤ハーモニカ。
【請求項３】
前記楽器本体の上面に鍵盤部が設けられ、
前記ホルダが、前記空気吹き込み孔よりも前記鍵盤部を構成する鍵の先端側に配されていることを特徴とする請求項１または請求項２に記載の鍵盤ハーモニカ。
【請求項４】
前記ホルダが、前記ホース部を嵌め入れて固定する嵌合部と、前記吹口及びホース部を挿通可能な筒状のホース挿通部とを備え、
該ホース挿通部が、前記嵌合部の嵌め入れ口に連通していることを特徴とする請求項１から請求項３のいずれか１項に記載の鍵盤ハーモニカ。
【請求項５】
前記ホース部が、前記ジョイント部から前記楽器本体の後面側に延出した上で、前記楽器本体の下面側に回り込むように配されていることを特徴とする請求項１から請求項４のいずれか１項に記載の鍵盤ハーモニカ。
【請求項６】
前記楽器本体の下面と前記楽器本体の一端部において前記下面に隣り合う側端面との角部に開口し、前記楽器本体の下面側に配された前記ホース部を収容する収容溝が形成されていることを特徴とする請求項１から請求項５のいずれか一項に記載の鍵盤ハーモニカ。
【請求項７】
長手方向の一端部に空気吹き込み孔を有する楽器本体と、
ホース部、該ホース部の第一端に設けられてホース部を前記空気吹き込み孔に接続するジョイント部、及び、前記ホース部の第二端に設けられる吹口を有する吹口付ホースと、を備え、
前記楽器本体の下面と前記楽器本体の一端部において前記下面に隣り合う側端面との角部に開口し、前記楽器本体の下面側に配された前記ホース部を収容する収容溝が形成されていることを特徴とする鍵盤ハーモニカ。
【請求項８】
前記収容溝の内面は、前記ホース部を着脱自在に固定するホルダを構成することを特徴とする請求項７に記載の鍵盤ハーモニカ。
【請求項９】
前記収容溝の内面が、前記下面から前記側端面まで延びて、前記下面及び前記側端面に対して傾斜する傾斜面を有することを特徴とする請求項６から請求項８のいずれか一項に記載の鍵盤ハーモニカ。
【請求項１０】
長手方向の一端部に空気吹き込み孔を有する楽器本体と、
前記楽器本体の上面に設けられる鍵盤部と、
前記楽器本体の下面と前記楽器本体の一端部において前記下面に隣り合う側端面との角部に開口し、前記空気吹き込み孔に着脱可能に装着される吹口付ホースのホース部を収容する溝部と、
を備えることを特徴とする鍵盤ハーモニカ。
【請求項１１】
長手方向の一端部に空気吹き込み孔を有する楽器本体に装着可能な吹口付ホースであって、
ホース部と、該ホース部の第一端に設けられてホース部を前記空気吹き込み孔に接続するジョイント部と、前記ホース部の第二端に設けられる吹口と、前記吹口が前記楽器本体の前記一端部から突出するように、前記ホース部を着脱自在に固定するホルダと、を備え、
前記ホルダが、前記ジョイント部または前記ホース部に設けられることを特徴とする鍵盤ハーモニカ用の吹口付ホース。
【手続補正２】
【補正対象書類名】明細書
【補正対象項目名】００１３
【補正方法】変更
【補正の内容】
【００１３】
本発明の鍵盤ハーモニカにおいて、前記ホース部が、前記ジョイント部から前記楽器本体の後面側に延出した上で、前記楽器本体の下面側に回り込むように配されてもよい。
なお、前記楽器本体の後面とは、上面に隣り合う面のうち鍵盤部を構成する鍵の基端側（揺動支点側）の面である。また、以下の説明では、楽器本体の上面に隣り合う面のうち鍵の先端側（自由端側）に位置する面のことを、楽器本体の前面と呼ぶ。
【手続補正３】
【補正対象書類名】明細書
【補正対象項目名】００１９
【補正方法】変更
【補正の内容】
【００１９】
また、本発明の鍵盤ハーモニカは、長手方向の一端部に空気吹き込み孔を有する楽器本体と、前記楽器本体の上面に設けられる鍵盤部と、前記楽器本体の下面と前記楽器本体の一端部において前記下面に隣り合う側端面との角部に開口し、前記空気吹き込み孔に着脱可能に装着される吹口付ホースのホース部を収容する溝部と、を備えることを特徴とする。
上記鍵盤ハーモニカでは、吹口付ホースの第一端（ジョイント部）を空気吹き込み孔に接続すると共に、吹口付ホースの第二端（吹口）が楽器本体の側端面から突出するように吹き口付ホースの中途部（ホース部）を楽器本体の下面側に配した際に、吹き口付ホースの中途部の一部を溝部に収容するとよい。この場合、吹き口付ホースの中途部が楽器本体の下面と側端面との角部において急激な角度で折り曲げられることを抑制できる。したがって、ホース部の管路が上記角部において狭くなることを抑え、演奏者が空気をホース部に吹き込み難くなることを防止できる。
【国際調査報告】
2014013878.tif 000024
2014013878.tif 000025
2014013878.tif 000026
2014013878.tif 000027